(57)【特許請求の範囲】
【請求項１】
前面開口した箱体と、箱体の背壁の前面側に配設される主幹開閉器と、主幹開閉器に電気的に接続された第１極および第２極および第３極の導電バーと、第１極の導電バーが中央に配設され且つ第２極および第３極の導電バーが第１極の導電バーの両側で第１極の導電バーよりも背壁側に配設されるバー支持部材と、第２極および第３極の導電バーそれぞれから突設され第１極の導電バーの短手方向における第２極の導電バー側の端面と先端縁が揃う分岐接続部と、第２極の導電バーの前面側に重なる形で配設され少なくとも第２極または第３極の導電バーの分岐接続部に差込接続される分岐開閉器と、第１極の導電バーの前面側に重なる形で配設され分岐開閉器の前面側の要所を引掛けて分岐接続部から分岐開閉器が外れる方向の移動を規制する引掛部材とを備えた住宅用分電盤において、上記バー支持部材における第３極の導電バー側の端部に形成された第１引掛部と引掛部材における第１極の導電バーの第３極の導電バー側の端面よりも突出する部位に設けられた第２引掛部との間に第３極の導電バーを覆う保護カバーが取着されてなることを特徴とする住宅用分電盤。
【請求項２】
前記第１引掛部および前記第２引掛部を各々対向する面側が開放された第１溝および第２溝とし、前記保護カバーは、弾性材料により形成され、第１溝と第２溝との一方に一端部を差し込んだ状態で他端部側を押圧して弾性変形させることにより他端部が第１溝と第２溝との他方に係止されるように幅方向の寸法を設定してなることを特徴とする請求項１記載の住宅用分電盤。
【請求項３】
前記分岐開閉器が前記バー支持部材よりも建物の床側になるように前記箱体を建物の壁面に配置したときに、前記第１溝が前記第２溝よりも天井側に位置し且つ前記第２溝の方が前記第１溝よりも壁面から離れた位置に形成されてなることを特徴とする請求項２記載の住宅用分電盤。
【請求項４】
前記第２溝は、前記保護カバーの一端部および他端部がそれぞれ前記第１溝および前記第２溝に係止された状態で前記保護カバーの一面に沿う傾斜面が形成されてなることを特徴とする請求項３記載の住宅用分電盤。
【請求項５】
前記引掛部材は、前記保護カバーの一端部を前記第１溝に差し込んだ状態で他端部側を押圧して弾性変形させたときに他端部を前記第２溝へ案内するように前記第２溝の周縁から前記背壁側へ突出した案内突起が設けられてなることを特徴とする請求項２ないし請求項４のいずれかに記載の住宅用分電盤。
【請求項６】
前記案内突起は、前記引掛部材を第１極の導電バーに取着するための引掛爪からなることを特徴とする請求項５記載の住宅用分電盤。
【発明の詳細な説明】
【０００１】
【発明の属する技術分野】
本発明は、住宅用分電盤に関するものである。
【０００２】
【従来の技術】
この種の分電盤としては、特開平９−８４２２１号公報に記載されたものが知られている。この公報に記載された分電盤では、図１６ないし図１８に示すように、主幹回路遮断器（主幹開閉器）３１’が取着された主幹用取付板９４、複数の分岐回路遮断器（分岐開閉器）３２’が取着された分岐用取付板９６、後述の導電バー（主幹バー）１１０ａ’，１１０ｂ’，１１０ｃ’を支持したバー支持部材１００’、バー支持部材１００’の前面側に配設される保護カバー１４３などを前面開口した箱体１０’内に収納し、箱体１０’の前面側にカバー２０’を結合している。
【０００３】
分岐回路遮断器３２’は、横１列に並べて配設してあり、主幹回路遮断器３１’に送りバー８１ａ，８１ｂ，８１ｃを介して接続された導電バー１１０ａ’，１１０ｂ’，１１０ｃ’に電気的に接続されている。ここにおいて、分岐回路遮断器３２’は導電バー１１０ａ’，１１０ｂ’，１１０ｃ’の延出方向に並設されている。なお、分岐回路遮断器３２’は導電バー１１０ａ’，１１０ｂ’，１１０ｃ’の延出方向に直交する方向の一方側にのみ配設されている。
【０００４】
また、バー支持部材１００’には前方に立設された取付突起１２３が複数形成されており、取付突起１２３の先端部には引掛フック１２３ａが形成されており、取付突起１２３が平板状の保護カバー１４３に設けた複数の保持孔１４３ａにそれぞれ挿入され、引掛フック１２３ａが保持孔１４３ａの周縁に引掛係止されることによって保護カバー１４３がバー支持部材１００’に固定されている。
【０００５】
ここにおいて、バー支持部材１００’は中性極の導電バー１１０ａ’が中央に配設され、電圧極の導電バー１１０ｂ’，１１０ｃ’が中央極の導電バー１１０ａ’の両側で導電バー１１０ａ’よりも箱体１０’の背壁１１’側に配設されているが、各導電バー１１０ａ’，１１０ｂ’，１１０ｃ’は箱体１０’の背壁１１’に略平行に配設されており、上述の保護カバー１４３も背壁１１’に略平行に配設されている。
【０００６】
【発明が解決しようとする課題】
ところで、上記公報に記載された分電盤では、導電バー１１０ａ’，１１０ｂ’，１１０ｃ’の延出方向に直交する方向の一方側にのみ分岐回路遮断器３２’が配設され、導電バー１１０ａ’，１１０ｂ’，１１０ｃ’を支持するバー支持部材１００’から立設した取付突起１２３の引掛フック１２３ａを平板状の保護カバー１４３の保持孔１４３ａの周縁に引掛係止することによって箱体１０’の背壁１１’に対して略平行に配設されているので、電圧極の導電バー１１０ｂ’，１１０ｃ’と保護カバー１４３との間に隙間があり、下方（図１６における下方）から導電バー１１０ｃ’を視認でき、作業者が誤って導電バー１１０ｃ’に触れる恐れがあったり、上記隙間にごみや埃が入って導電バー１１０ａ’，１１０ｂ’，１１０ｃ’に付着しやすいという不具合があった。
【０００７】
本発明は上記事由に鑑みて為されたものであり、その目的は、作業者が誤って導電バーに触れる恐れがなく、かつ、導電バーとバー支持部材との間にごみや埃が付着しにくい住宅用分電盤を提供することにある。
【０００８】
【課題を解決するための手段】
請求項１の発明は、上記目的を達成するために、前面開口した箱体と、箱体の背壁の前面側に配設される主幹開閉器と、主幹開閉器に電気的に接続された第１極および第２極および第３極の導電バーと、第１極の導電バーが中央に配設され且つ第２極および第３極の導電バーが第１極の導電バーの両側で第１極の導電バーよりも背壁側に配設されるバー支持部材と、第２極および第３極の導電バーそれぞれから突設され第１極の導電バーの短手方向における第２極の導電バー側の端面と先端縁が揃う分岐接続部と、第２極の導電バーの前面側に重なる形で配設され少なくとも第２極または第３極の導電バーの分岐接続部に差込接続される分岐開閉器と、第１極の導電バーの前面側に重なる形で配設され分岐開閉器の前面側の要所を引掛けて分岐接続部から分岐開閉器が外れる方向の移動を規制する引掛部材とを備えた住宅用分電盤において、上記バー支持部材における第３極の導電バー側の端部に形成された第１引掛部と引掛部材における第１極の導電バーの第３極の導電バー側の端面よりも突出する部位に設けられた第２引掛部との間に第３極の導電バーを覆う保護カバーが取着されてなることを特徴とするものであり、第１極の導電バーは引掛部材、第２極の導電バーは分岐開閉器、第３極の導電バーは保護カバーによってそれぞれ覆うことができ、作業者が誤って導電バーに触れる恐れがなくなるとともに、導電バーにごみや埃が付着しにくくなる。
【０００９】
請求項２の発明は、請求項１の発明において、前記第１引掛部および前記第２引掛部を各々対向する面側が開放された第１溝および第２溝とし、前記保護カバーは、弾性材料により形成され、第１溝と第２溝との一方に一端部を差し込んだ状態で他端部側を押圧して弾性変形させることにより他端部が第１溝と第２溝との他方に係止されるように幅方向の寸法を設定してあるので、前記保護カバーの一端部を第１溝に差し込んで他端部を前記引掛部材の端面に当接させた状態から他端部側を押圧すれば、前記保護カバーが弾性変形して他端部が第２溝に係止されることとなり、前記保護カバーの取付作業を容易にすることができる。
【００１０】
請求項３の発明は、請求項２の発明において、前記分岐開閉器が前記バー支持部材よりも建物の床側になるように前記箱体を建物の壁面に配置したときに、前記第１溝が前記第２溝よりも天井側に位置し且つ前記第２溝の方が前記第１溝よりも壁面から離れた位置に形成されているので、前記保護カバーは建物の壁面に対して前面側を建物の床側となるように傾斜して取着されることになるから、前記箱体内における前記保護カバーよりも天井側の空間を広くすることができ、建物の天井側からの配線の引き回し作業が容易となる。
【００１１】
請求項４の発明は、請求項３の発明において、前記第２溝は、前記保護カバーの一端部および他端部がそれぞれ前記第１溝および前記第２溝に係止された状態で前記保護カバーの一面に沿う傾斜面が形成されているので、前記保護カバーにおいて第２溝に引掛けられる他端部が折曲した形で引掛けられる恐れがなく、前記保護カバーが折損しにくくなる。
【００１２】
請求項５の発明は、請求項２ないし請求項４の発明において、前記引掛部材は、前記保護カバーの一端部を前記第１溝に差し込んだ状態で他端部側を押圧して弾性変形させたときに他端部を前記第２溝へ案内するように前記第２溝の周縁から前記背壁側へ突出した案内突起が設けられているので、前記保護カバーの他端部側を押圧して弾性変形させたときに他端部が案内突起によってガイドされることとなり、前記保護カバーを前記第２溝に確実に係止させることができる。
【００１３】
請求項６の発明は、請求項５の発明において、前記案内突起は、前記引掛部材を第１極の導電バーに取着するための引掛爪からなるので、前記案内突起を前記引掛部材と別に用意する必要がなく、前記引掛部材の材料取りが向上する。
【００１４】
【発明の実施の形態】
（実施形態１）
本実施形態の住宅用分電盤は、図２ないし図７に示すように、１つの主幹回路遮断器３１と複数の分岐回路遮断器３２とを箱体１０の中に配置した分電盤であって、複数の分岐回路遮断器３２を横１列に横並びで並設してある。箱体１０は、合成樹脂成形品であって、前面開口した直方体状に形成され、前面側に合成樹脂成形品のカバー２０が結合されている。
【００１５】
箱体１０は、外周形状が矩形状に形成された背壁１１の外周縁の全周に亘って周壁１２が前方に突設された形状に形成されている。また、背壁１１は、左側の中央部に主幹開閉器たる主幹回路遮断器３１が取り付けられる主幹用取付台４０が連続一体に形成され、背壁１１の右側の中央部には分岐開閉器たる分岐回路遮断器３２が取り付けられる分岐用取付台６０が連続一体に形成されている。さらに、背壁１１は、分岐用取付台６０の上方に後述の導電バー１１０ａ，１１０ｂ，１１０ｃを支持したバー支持部材１００が取り付けられる支持部材用取付台５０が連続一体に形成されている。
【００１６】
ここにおいて、主幹用取付台４０は外周形状が矩形状に形成された主幹用取付板４０ａの外周縁の一部が段差部４１を介して背壁１１と連結されている。支持部材用取付台５０は外周形状が矩形状に形成された支持部材用取付板５０ａの長手方向（左右方向）の両側縁がそれぞれ段差部５１を介して背壁１１と連結され、分岐用取付台６０は外周形状が矩形状に形成された分岐用取付板６０ａの長手方向（左右方向）の両側縁がそれぞれ段差部６１を介して背壁１１と連結されている。また、分岐用取付板６０ａは、支持部材用取付板５０ａよりも背壁１１の背面を含む面からの距離が大きくなる位置に形成されており、分岐用取付板６０ａの上端縁が段差部６２を介して支持部材取付板５０ａの下端縁と連結されている。
【００１７】
また、背壁１１は、主幹用取付台４０の上側に電線挿通孔１３が開口され、支持部材用取付台５０の上側に電線挿通孔１４が開口され、分岐用取付台６０の下側に電線挿通孔１５が開口されている。なお、各電線挿通孔１３〜１５は、背壁１１において電線挿通孔１３〜１５それぞれに対応した部位にあらかじめ切除可能なノックアウト部を形成しておきノックアウト部を適宜に切除することによって形成してもよい。
【００１８】
カバー２０は、後端部外周面が箱体１０の周壁１２の前端部外周面にほぼ一致する（図６および図７参照）。また、カバー２０は、主幹回路遮断器３１の一部を露出させる窓孔２５や各分岐回路遮断器３２の一部を一括して露出させる窓孔２６が形成されている。
【００１９】
ところで、主幹回路遮断器３１は器体３内に収納された接点部を開閉操作可能なハンドル３１ａが前面側に配設されているが、上述の段差部４１を設けていることによって図６に示すように主幹回路遮断器３１において露出する部位の前面とカバー２０における窓孔２５の周囲とは同一面上に並んでおり、しかも接点部の閉成状態においてはハンドル３１ａがカバー２０の前面側へ突出しない位置にあるので、見栄えの良い外観を呈することになるとともに、主幹回路遮断器３１の接点部が閉成状態のときに誤ってハンドル３１ａが操作される恐れを少なくすることができ、各分岐回路遮断器３２にそれぞれ接続された負荷に負担がかかるのを防止することができる。また、分岐回路遮断器３２は器体内に収納された接点部を開閉操作可能なハンドル３２ａが前面側に配設されているが、上述の段差部６１を設けていることによって図７に示すように分岐回路遮断器３２において露出する部位の前面とカバー２０における窓孔２６の周囲とは同一面上に並んでおり、しかも接点部の閉成状態においてはハンドル３２ａがカバー２０の前面側へ突出しない位置にあるので、見栄えの良い外観を呈することになるとともに、分岐回路遮断器３２の接点部が閉成状態のときに誤ってハンドル３２ａが操作される恐れを少なくすることができ、分岐回路遮断器３２に接続された負荷に負担がかかるのを防止することができる。
【００２０】
なお、カバー２０の前面における窓孔２６の周部であって且つ分岐回路遮断器３２の並設方向に直交する方向の両側（つまり、窓孔２６の上下）には、分岐回路遮断器３２に接続される負荷（使用負荷）を区別する表示の設けられたシール２４（図２および図３参照）が貼着されている。
【００２１】
主幹回路遮断器３１の器体３は合成樹脂製であって、直方体状に形成されており、上部に端子台４が設けられ、端子台４の前面側に電源側端子として３つの電源側端子片３３，３３，３３が左右方向に並んで配設されている。ここに、各電源側端子片３３には図示しない端子ねじが挿通される端子孔３３ａが形成されている。また、器体３の上部の右端部から上方へ端子取付部５が連続一体に突出しており、負荷側端子として３つの負荷側端子片３４ａ，３４ｂ，３４ｃが端子取付部５の右側面から当該右側面に直交する方向へ突出する形で配置されている。ここに、負荷側端子片３４ａ，３４ｂ，３４ｃにはそれぞれ端子ねじ３５，３６，３６が挿通される端子孔（図示せず）が形成されている。要するに、主幹回路遮断器３１の器体３には、３つの電源側端子片３３，３３，３３と３つの負荷側端子片３４ａ，３４ｂ，３４ｃとが露設されている。電源側端子片３３，３３，３３と負荷側端子片３４ａ，３４ｂ，３４ｃとは１対１で対応付けされており、電源側端子片３３，３３，３３には電線挿通孔１３を通して箱体１０内に導入された電源線（図示せず）が上記端子ねじを用いて接続され、負荷側端子片３４ａ，３４ｂ，３４ｃには図４に示すようにそれぞれ導電バー１１０ａ，１１０ｂ，１１０ｃが端子ねじ３５，３６，３６を用いて直接接続される。なお、主幹回路遮断器３１は取付ねじ３０を用いて主幹用取付台４０に取着されており、器体３の右側面がバー支持部材１００に支持された導電バー１１０ａ，１１０ｂ，１１０ｃの長手方向に直交している。また、主幹用取付台４０の主幹用取付板４０ａには中央部に開口窓４２が形成されているので、主幹回路遮断器３１で発生した熱を放熱させることができる。
【００２２】
また、各負荷側端子片３４ｂ，３４ａ，３４ｃは、正面視において上下方向に並設されており、上下方向における中央の負荷側端子片３４ａが端子ねじ３５を用いて中性極の導電バー１１０ａに電気的および機械的に接続され、上下の負荷側端子３４ｂ，３４ｃがそれぞれ端子ねじ３６，３６を用いて電圧極の導電バー１１０ｂ，１１０ｃに電気的および機械的に接続されている。なお、負荷側端子片３４ａ，３４ｂ，３４ｃの上下方向および前後方向の位置関係と導電バー１１０ａ，１１０ｂ，１１０ｃの上下方向および前後方向の位置関係とは１対１で対応するように設定されている。
【００２３】
バー支持部材１００は、支持部材用取付台５０の前面側に載置される。バー支持部材１００の左右幅は支持部材用取付台５０の左右幅よりもやや小さく形成され、バー支持部材１００の上下方向の幅寸法は支持部材用取付板５０ａの上下方向の幅寸法よりやや大きく形成されている。
【００２４】
また、バー支持部材１００は、図８に示すように、上下方向の中央部に前方に突出した左右方向の隔壁１０１を有し、隔壁１０１における左右方向の両端部には前方に突出する支持ポスト１０２，１０３が形成されている。支持ポスト１０２，１０３の前面には凹所１０２ａ，１０３ａが形成され、凹所１０２ａの底部には図示しないナットが保持されている。バー支持部材１００の隔壁１０１には分離壁１０１ａが一体に形成され、隔壁１０１が８区画に分割されている。
【００２５】
バー支持部材１００には上下に載置片１０４が延設されており、各載置片１０４の左右方向において支持ポスト１０２を設けた一端部には後方に凹没した凹所１０４ａが形成され、各凹所１０４ａの底部には図示しないナットが保持されている。
【００２６】
各載置片１０４の中間部には係止部１０５が前方に立設されている。バー支持部材１００の上下縁、つまり各載置片１０４の一端部にはそれぞれ載置片１０４から前方に立設された立設壁１０６が形成される。ここに、バー支持部材１００の上縁から立設された立設壁１０６は図１および図７に示すように上側の方が下側よりも載置片１０４からの突出寸法が大きくなるように先端面（前端面）が傾斜しており、先端面には左右方向に走る係止溝１０６ｂが２つ形成されている。係止溝１０６ｂは立設壁１０６の左右方向における中間部に形成された仕切壁１０６ｃによって仕切られている。係止溝１０６ｂについては後述する。さらに、１つおきで４個の分離壁１０１ａには対向する立設壁１０６に向かって突出する引掛爪１０１ｂが形成されている。また、立設壁１０６には隔壁１０１に向かって突出する引掛爪１０６ａ（図８および図１３参照）が２箇所に形成されている。
【００２７】
バー支持部材１００は中性極の導電バー１１０ａと２本の電圧極の導電バー１１０ｂ，１１０ｃとの３本の導電バー１１０ａ〜１１０ｃを同時に保持できるように構成されている。
【００２８】
中性極の導電バー１１０ａは２つの支持ポスト１０２，１０３の間に架設される。導電バー１１０ａには長手方向において等ピッチで挿通孔１１１が形成されている。導電バー１１０ａの長手方向の一端部（図４における左端部）には端子片１１２が延設され、端子片１１２には上述の端子ねじ３５が挿入される端子孔１１４および支持ポスト１０２の前面に突設した係止部１０２ｂが挿入される位置決め孔１１７が形成されている。係止部１０２ｂには固定ねじ１２０（図１１参照）が螺合するねじ孔が形成されている。また、導電バー１１０ａの他端部には支持ポスト１０３の凹所１０３に嵌合する取付片１１３が延設されている。したがって、導電バー１１０ａは、取付片１１３を凹所１０３に嵌合するとともに係止部１０２ｂを位置決め孔１１７に挿通した状態で、固定ねじ１２０を係止部１０２ｂのねじ孔に螺合することによって導電バー１１０ａが支持ポスト１０２に固定される。また、上述の端子ねじ３５は凹所１０２ａの底部に設けたナットに螺合する。
【００２９】
一方、電圧極の２本の導電バー１１０ｂ，１１０ｃはそれぞれ載置片１０４の前面に重ねて取り付けられる。導電バー１１０ｂ，１１０ｃには長手方向の中間部に挿通孔１１５が形成され、導電バー１１０ｂ，１１０ｃの長手方向の一端部（図４における左端部）にはそれぞれ端子孔１１６が形成されている。端子孔１１６には上述の端子ねじ３６が挿入され、端子ねじ３６は載置片１０４に設けた凹所１０４ａの底部に保持されているナットに螺合する。導電バー１１０ａの前面側には後述の結束部材１３０が取り付けられている。結束部材１３０は８個の分岐回路遮断器３２の幅寸法よりもやや長い寸法を有している。結束部材１３０は、導電バー１１０ａの挿通孔１１１に１つおきに圧入される圧入突起１３２（図１参照）と、上端部後面から後方に突設された引掛爪１３５（図１参照）とを備えており、引掛爪１３５は導電バー１１０ａの後面側に係止される引掛フック１３５ａ（図１参照）が先端部に形成されている。したがって、結束部材１３０は、圧入突起１３２が挿通孔１１１に圧入されるとともに、引掛フック１３５ａが導電バー１１０ａの後面に係止されることによって結束部材１３０が導電バー１１０ａに固定される。
【００３０】
さらに、導電バー１１０ｂ，１１０ｃの短手方向の一側縁には前方に向かって接続片１１８が突設される。導電バー１１０ｃの接続片１１８には２本の挿入端子片１１８ａ，１１８ｂが延設されており、導電バー１１０ｂの接続片１１８には挿入端子片１１８ａと挿入端子片１１８ｂとが交互に延設されている。各挿入端子片１１８ａ，１１８ｂは接続片１１８から導電バー１１０ｃに対向するように接続片１１８に対して直交方向に延長されている。また、導電バー１１０ｃから挿入端子片１１８ｂまでの距離は挿入端子片１１８ａまでの距離よりも大きくなっている。したがって、挿入端子片１１８ｂ，１１８ａは前後に位置することになる。さらに、導電バー１１０ｂ，１１０ｃを各載置片１０４に取り付けた状態では、互いに他方の導電バー１１０ｂ，１１０ｃに設けた挿入端子片１１８ｂ，１１８ａが前後に位置し、かつ両挿入端子片１１８ｂ，１１８ａの先端縁の位置が上下左右において揃うように位置する。このような配置によって、前後に並ぶ２つの挿入端子片１１８ｂ，１１８ａは互いに他の導電バー１１０ｂ，１１０ｃに接続されていることになる。ここで、支持ポスト１０２，１０３間に架設された中性極の導電バー１１０ａの短手方向の端縁も上下方向における位置が両挿入端子片１１８ｂ，１１８ａの先端縁と一致する。なお、異なる導電バー１１０ｂ，１１０ｃに設けた接続片１１８は隔壁１０１によって絶縁される。
【００３１】
ところで、導電バー１１０ｂ，１１０ｃに設けた挿通孔１１５には載置片１０４に設けた係止部１０５が挿通される。また、導電バー１１０ｂ，１１０ｃの長手方向の一端部（左端部）には支持ポスト１０２の角部に合致する形状の切欠部１１９が形成されている。したがって、挿通孔１１５に係止部１０５が挿入され、かつ切欠部１１９と支持ポスト１０２とが係合することによって、導電バー１１０ｂ，１１０ｃはバー支持部材１００に対して左右方向に位置決めされることになる。また、導電バー１１０ｂ，１１０ｃの短手方向の一端部は分離壁１０１ａに設けた引掛爪１０１ｂと載置片１０４との間で保持され、他端部は立設壁１０６に設けた引掛爪１０６ａと載置片１０４との間で保持される。したがって、導電バー１１０ｂ，１１０ｃをバー支持部材１００に装着するには、引掛爪１０６ａと載置片１０４との間に導電バー１１０ｂ，１１０ｃの一端部を挿入し、挿通孔１１５を係止部１０５に位置合わせした状態で、導電バー１１０ｂ，１１０ｃを載置片１０４に押しつければ、立設壁１０６が撓んで導電バー１１０ｂ，１１０ｃの他端部が引掛爪１０１ｂを乗り越え、引掛爪１０１ｂと載置片１０４との間で導電バー１１０ｂ，１１０ｃの他端部が保持される。そこで、引掛爪１０１ｂは後方に向かって分離壁１０１ａからの突出寸法が大きくなるように形成され、導電バー１１０ｂ，１１０ｃを取り付ける際に当接する部位は傾斜面になっている。
【００３２】
ところで、上述の載置片１０４に立設した立設壁１０６の先端面に形成した係止溝１０６ｂ,１０６ｂには絶縁性を有する弾性材料からなる保護カバー１４１の幅方向（短手方向）の一端部が保持されており、結束部材１３０の上端部後面側には保護カバー１４１の他端部を保持する溝１３６（図１参照）が左右方向に形成されている。すなわち、保護カバー１４１は電圧極の導電バー１１０ｂを覆うように配設される。ここに、保護カバー１４１の上記一端部には立設壁１０６の仕切壁１０６ｃに対応した部位に切欠部１４１ａが形成されている。なお、本実施形態では、係止溝１０６ｂが第１溝を、溝１３６が第２溝を、中性極の導電バー１１０ａが第１極の導電バーを、電圧極の導電バー１１０ｃが第２極の導電バーを、電圧極の導電バー１１０ｂが第３極の導電バーをそれぞれ構成している。
【００３３】
結束部材１３０において導電バー１１０ａの上端面よりも上方に突出した部位には図１に示すように背壁１１側ほど結束部材１３０の上下方向の幅が大きくなるような傾斜面１３０ａが形成されており、上記溝１３６の内周面は上記引掛爪１３５の上面に沿った誘導面１３６ａと傾斜面１３０ａに略平行な当接面１３６ｂとが当該溝１３６の底で繋がっている。
【００３４】
したがって、保護カバー１４１をバー支持部材１００に装着するには、係止溝１０６ｂに保護カバー１４１の上記一端部を差し込み、上記他端部を傾斜面１３０ａに当接させた状態で、保護カバー１４１の上記他端部側を押しつければ、保護カバー１４１が撓んで傾斜面１３０ａを乗り越え、上記他端部が溝１３６に係止されるように引掛爪１３５の上面および誘導面１３６ａに沿って誘導され、最終的に上記他端部の上面が当接面１３６ｂと当接することになるので、保護カバー１４１をバー支持部材１００に比較的簡単に装着することができる。
【００３５】
また、主幹回路遮断器３１の負荷側端子片３４ａ，３４ｂ，３４ｃと各導電バー１１０ａ，１１０ｂ，１１０ｃとの重なる部分の前方には絶縁材料からなる保護カバー１４２（図５参照）が装着されている。なお、結束部材１３０の長手方向の一端部には保護カバー１４２を取着するための取付爪１２１が突設されている。
【００３６】
ところで、上述のバー支持部材１００の右端部後面には、図１０に示すように、載置片１０４の後面から突出する部分と、その部分の先端から外向きに突出する部分とを有するＬ字状の係止突起１０７が上下に形成されている。一方、支持部材用取付板５０の右端部には係止突起１０７が引っ掛けられる保持孔５２が上下に形成されている。また、バー支持部材１００の左端部の上下面にはそれぞれ被引掛片１０８，１０８が突設されており、各被引掛片１０８，１０８は支持部材用取付台５０の左端部の近傍で背壁１１から連続一体に突設された保持突起１６に引掛係止される。保持突起１６は、断面Ｌ字状に形成されたガイド壁１６ａと、ガイド壁１６ａの前端面に連続一体に形成された受け片１６ｂとで構成されている。
【００３７】
したがって、バー支持部材１００を支持部材用取付台５０に取り付けるに際しては、支持部材用取付台５０の保持孔５２に上記係止突起１０７を前方から挿入した図１１および図１２および図１５（ａ）に示す状態から、バー支持部材１００を支持部材用取付板５０ａの前面に沿って（つまり、背壁１１の前面に沿って）図１１における右方向にスライドさせることで図１３および図１４および図１５（ｂ）に示す状態のように上記係止突起１０７を保持孔５２の周部に重複させて引掛けるとともに、上記被引掛片１０８を保持突起１６の受け片１６ｂに重複させて引掛けることによりバー支持部材１００が支持部材用取付台５０に保持される。要するに、バー支持部材１００は、箱体１０の背壁１１に平行な面内で上記右方向へスライドさせることによって箱体１０に取着されることになる。また、係止突起１０７が保持孔５２の周部に重複せず、被引掛片１０８が受け片１６ｂに重複しない位置までバー支持部材１００をスライドさせれば、バー支持部材１００を支持部材用取付台５０から取り外すことが可能になる。
【００３８】
上述のバー支持部材１００に設けた被引掛片１０８の前面にはバー支持部材１００のスライド方向に直交する方向に沿って抜止溝１０８ａが形成されており、箱体１０の背壁１１から突設された保持突起１６の受け片１６ｂの後面にはバー支持部材１００が取付時の定位置までスライドされたときに抜止溝１０８ａに係合して被引掛片１０８が保持突起１６から抜けるのを防止する抜止突起１７が突設されている。したがって、バー支持部材１００を定位置までスライドさせることにより、被引掛片１０８に形成された抜止溝１０８ａと保持突起１６に形成された抜止突起１７とが係合して保持突起１６から被引掛片１０８が抜けるのを防止されるから、バー支持部材１００が箱体１０から外れる可能性が少なくなる。
【００３９】
しかして、本実施形態では、箱体１０の背壁１１の前面に沿ってバー支持部材１００を所定方向（右方向）へスライドさせることによって箱体１０にバー支持部材１００を取り付けることができる。また、係止突起１０７および被引掛片１０８は、保持孔５２および保持突起１６にそれぞれ引っ掛からない状態において背壁１１の前方からバー支持部材１００を正面視したときに視認可能となるように突設されているので、箱体１０へのバー支持部材１００の取付作業が容易になる。
【００４０】
また、バー支持部材１００の長手方向の両端部後面には図１０に示すように後方へ突出するガイド突起１０９を設けてあり、支持部材用取付板５０ａにはガイド突起１０９をバー支持部材１００のスライド方向に沿って案内する長孔５３を設けているので、バー支持部材１００を箱体１０に取着する作業が容易になる。
【００４１】
ここにおいて、長孔５３は、係止突起１０７および被引掛片１０８が保持孔５２および保持突起１６にそれぞれ引っ掛からない状態においてガイド突起１０９が遊挿される丸孔状の大径部５３ａの一部にガイド突起１０９をスライド方向に沿って案内する溝部５３ｂが連続した鍵穴状に形成されている。したがって、バー支持部材１００を箱体１０に取着する際には、ガイド突起１０９が長孔５３の大径部５３ａに遊挿されるようにバー支持部材１００を支持部材用取付台５０の前面側に載置し、ガイド突起１０９が溝部５３ｂに対応する部位に入るようにバー支持部材１００を取付時のスライド方向へスライドさせることによってバー支持部材１００を箱体１０に取着することができるから、バー支持部材１００をスライドさせる前に支持部材用取付台５０に載置するときのバー支持部材１００の位置合わせが容易になり、箱体１０へのバー支持部材１００の取着作業が容易になる。なお、ガイド突起１０９は円柱状の形状であって、長孔５３の溝部５３ｂの上下方向における幅はガイド突起１０９の直径と略等しく設定してあるので、溝部５３ｂでは溝部５３ｂの内周面とガイド突起１０９の外周面とが当接する（図１４参照）。
【００４２】
導電バー１１０ａ〜１１０ｃは分岐回路遮断器３２を接続するために設けられており、本実施形態では横１列に８個の分岐回路遮断器３２を配列している。分岐回路遮断器３２を取り付けるために、本実施形態では上述の分岐用取付台６０を設けている。分岐用取付台６０は図１および図３および図９に示すように、下部の前面側に後述の鉄板７０が装着されており、鉄板７０によって分岐回路遮断器３２からの熱を放熱できるようになっている。分岐用取付板６０ａの下部の後面（背面）側には左右方向に走る２つの補強リブ６３，６３が上下方向に離間して突設されている。各補強リブ６３は上下方向における中央が両端よりも分岐用取付板６０ａの後面からの突出寸法が徐々に大きくなるように形成されており、丸みを有している。分岐用取付台６０は補強リブ６３を設けていることによって機械的な強度を高めることができる。
【００４３】
また、分岐用取付板６０ａの前面側には、各補強リブ６３に対応した部位に左右方向に走る装着溝６４がそれぞれ形成されている。さらに、上側の装着溝６４の内面には保持突起６６（図９参照）が突設されている。保持突起６６の機能については後述する。鉄板７０は図９に示すように後方に開放され断面コ字状に形成されており、長手方向において等ピッチで矩形状の挿通孔７２が形成されている。鉄板７０は、上述の保持突起６６が係止される係止孔７３が上側の脚片７１において上記保持突起６６に対応した部位に形成されており、分岐用取付板６０ａの下部の前面から突設された遮断器保持突起６５を挿通孔７２に挿通させ両脚片７１，７１を分岐用取付板６０ａの下部の前面側に形成された装着溝６４，６４に挿入すると、上述の保持突起６６が保持孔７３に挿入係止されることによって分岐用取付板６０ａの前面側に装着される。したがって、鉄板７０が分岐用取付台６０から落下するのを防止することができる。なお、鉄板７０には７つの挿通孔７２が形成されており、分岐用取付板６０ａの一番左側の遮断器保持突起６５に対応した部位には切欠部７４が形成されている。また、本実施形態では、鉄板７０に両脚片７１，７１を設けていることによって鉄板７０が曲がるのを防止することができるとともに、分岐用取付台６０の機械的な強度を高めることができる。
【００４４】
分岐用取付板６０ａの一端部（下端部）前面には、前方に突設され先端部が下方に向かって延設された上述の逆Ｌ字状の遮断器保持突起６５が８個形成されている。また、分岐用取付板６０ａの他端部（上端部）前面には遮断器支持片６６が左右方向に等ピッチで形成され、分岐用取付板６０ａの中央部前面には遮断器支持片６７が左右方向に等ピッチで形成されている。ここに、各遮断器支持片６６，６７はそれぞれ９個ずつ形成されている。なお、遮断器保持突起６５の側縁は薄肉の薄肉部６５ａによって分岐用取付板６０ａの前面と連結されている。なお、薄肉部６５ａの厚みは遮断器支持片６６，６７と略同じ厚みに形成されている。
【００４５】
分岐用取付台６０の前面側には分岐回路遮断器３２を８個まで取着することができる。分岐回路遮断器３２は、電源側にスリット状の３つの端子部３７ａ〜３７ｃが設けられる。端子部３７ａ〜３７ｃのうち端子部３７ａには中性極の導電バー１１０ａが挿入され、端子部３７ｂ，３７ｃには電圧極の導電バー１１０ｂ，１１０ｃの挿入端子片１１８ｂ，１１８ａが挿入される。ただし、各分岐回路遮断器３２はそれぞれ各導電バー１１０ａ，１１０ｂ，１１０ｃのうちの２本にのみ電気的に接続され、他の１本はダミーとして扱われる。例えば、端子部３７ａに導電バー１１０ａが電気的に接続され、端子部３７ｃに挿入端子片１１８ａが電気的に接続されるが、挿入端子片１１８ｂは端子部３７ｂに挿入されるだけで電気的な接続は行われない。ここに、本実施形態では、端子部３７ａ〜３７ｃが導電バー１１０ａ〜１１０ｃに差込接続される電源端子部を構成しており、端子部３７ａ〜３７ｃのうちの２つに導電バー１１０ａ〜１１０ｃが差込接続される導電性材料からなる受刃（図示せず）が設けられている。要するに、本実施形態における分岐回路遮断器３２は、器体をスライドさせて受刃を導電バー１１０ａ〜１１０ｃに差込接続するものであって、電源側の接続方式が端子ねじを用いない差込方式（所謂プラグイン方式）になっている。
【００４６】
なお、分岐回路遮断器３２は、負荷側に電線挿入口（図示せず）が設けられており、電線挿入口を通して器体に電線を挿入するだけで器体内に収納された端子板（図示せず）と鎖錠ばね（図示せず）とで構成された周知の速結端子からなる負荷端子部に電線が接続される。
【００４７】
分岐回路遮断器３２の器体の一方の側面（左側面）には分岐用取付台６０に設けた遮断器保持突起６５に係合する保持溝３８が開口されている。ここに、保持溝３８は分岐回路遮断器３２を差込方向（図７における上方向）にスライドさせることにより遮断器保持突起６５が係合する。さらに、分岐回路遮断器３２の前面であって隔壁１０１寄りの端部には２個の結束用突部３９が突設されている。
【００４８】
しかして、分岐回路遮断器３２を分岐用取付台６０に取り付けるに際しては、端子部３７ａに導電バー１１０ａを挿入し、端子部３７ｂ，３７ｃには挿入端子片１１８ａ，１１８ｂを挿入せずに分岐回路遮断器３２を挿入端子片１１８ｂ，１１８ａの幅方向にずらしている状態から、分岐回路遮断器３２の保持溝３８に遮断器保持突起６５が挿入されるとともに挿入端子片１１８ｂ，１１８ａが端子部３７ｂ，３７ｃに挿入されるように分岐回路遮断器３２をスライドさせると、分岐用取付台６０の前面と遮断器保持突起６５との間で保持溝３８の周部が挟持されるようになる。このとき、遮断器支持片６６，６７および薄肉部６５ａが分岐回路遮断器３２の側面に当接して分岐回路遮断器３２の左右方向への位置ずれが防止される。なお、支持部材用取付板５０ａには２つの開口窓５４が開口されており、導電バー１１０ａ，１１０ｂ，１１０ｃからの熱を放熱できるようになっている。
【００４９】
上述の結束部材１３０には各分岐回路遮断器３２の前面に重なる部位まで延長された結束片１３３が形成され、結束片１３３の先端部に設けた切欠溝１３４が分岐回路遮断器３２の前面に突設された結束用突部３９に係合することによって、分岐回路遮断器３２が結束片１３３に連結されるようにしてある。この結束部材１３０を設けていることにより、各分岐回路遮断器３２が結束部材１３０を介して連結されることになる。要旨ではないから詳述しないが、結束部材１３０の結束片１３３は各分岐回路遮断器３２ごとに切欠溝１３４と結束用突部３９との係合状態を解除できるように構成されている。
【００５０】
しかして、本実施形態では、上述のように、中性極の導電バー（第１極の導電バー）１１０ａの前面側を覆うように結束部材１３０が配設されるとともに、電圧極の導電バー（第２極の導電バー）１１０ｃの前面側に重なる形で分岐回路遮断器３２が配設され、さらにバー支持部材１００における電圧極の導電バー１１０ｂ（第３極の導電バー）側の端部に形成された係止溝１０６ｂと結束部材１３０における導電バー１１０ａの導電バー１１０ｂ側の端面よりも上方（図１における上方）に突出した部位に形成された溝１３６との間に導電バー１１０ｃを覆う保護カバー１４０が取着されているので、第１極の導電バー１１０ａは結束部材１３０、電圧極の導電バー１１０ｃは分岐回路遮断器３２、電圧極の導電バー１１０ｂは保護カバー１４０によってそれぞれ覆うことができ、作業者が誤って導電バー１１０ａ，１１０ｂ，１１０ｃに触れる恐れがなくなるとともに、各導電バー１１０ａ，１１０ｂ，１１０ｃに埃やごみが付着しにくくなる。
【００５１】
なお、本実施形態では、係止溝１０６ｂが第１引掛部としての第１溝を、結束部材１３０が引掛部材を、結束部材１３０に設けられた溝１３６が第２引掛部としての第２溝をそれぞれ構成している。また、保護カバー１４０は、弾性材料により形成され、第１溝と第２溝との一方に一端部を差し込んだ状態で他端部側を押圧して弾性変形させることにより他端部が第１溝と第２溝との他方に係止されるように幅方向の寸法を設定してあるので、保護カバー１４０の取付作業を容易にすることができる。
【００５２】
また、分岐回路遮断器３２がバー支持部材１００よりも建物の床側になるように箱体１０を建物の壁面に配置したときに、第１溝が第２溝よりも天井側に位置し且つ第２溝の方が第１溝よりも壁面から離れた位置に形成されているので、保護カバー１４０は建物の壁面に対して前面側を建物の床側となるように傾斜して取着されることになるから、箱体１０内における保護カバー１４０よりも天井側の空間を広くすることができ、建物の天井側からの配線の引き回し作業が容易となる。また、第２溝は、保護カバー１４０の一端部および他端部がそれぞれ第１溝および第２溝に係止された状態で保護カバー１４０の一面に沿う傾斜面１３６ｂが形成されているので、保護カバー１４０において第２溝に引掛けられる他端部が折曲した形で引掛けられる恐れがなく、保護カバー１４０が折損しにくくなる。なお、本実施形態では、引掛爪１３５が第２溝の周縁から背壁１１側に突出した案内突起を構成しており、保護カバー１４０の他端部側を押圧して弾性変形させたときに他端部が案内突起によってガイドされることとなり、保護カバー１４０を第２溝に確実に係止させることができるとともに、案内突起を結束部材１３０と別に用意する必要がなく、結束部材１３０の材料取りが向上する。
【００５３】
【発明の効果】
請求項１の発明は、前面開口した箱体と、箱体の背壁の前面側に配設される主幹開閉器と、主幹開閉器に電気的に接続された第１極および第２極および第３極の導電バーと、第１極の導電バーが中央に配設され且つ第２極および第３極の導電バーが第１極の導電バーの両側で第１極の導電バーよりも背壁側に配設されるバー支持部材と、第２極および第３極の導電バーそれぞれから突設され第１極の導電バーの短手方向における第２極の導電バー側の端面と先端縁が揃う分岐接続部と、第２極の導電バーの前面側に重なる形で配設され少なくとも第２極または第３極の導電バーの分岐接続部に差込接続される分岐開閉器と、第１極の導電バーの前面側に重なる形で配設され分岐開閉器の前面側の要所を引掛けて分岐接続部から分岐開閉器が外れる方向の移動を規制する引掛部材とを備えた住宅用分電盤において、上記バー支持部材における第３極の導電バー側の端部に形成された第１引掛部と引掛部材における第１極の導電バーの第３極の導電バー側の端面よりも突出する部位に設けられた第２引掛部との間に第３極の導電バーを覆う保護カバーが取着されてなるものであり、第１極の導電バーは引掛部材、第２極の導電バーは分岐開閉器、第３極の導電バーは保護カバーによってそれぞれ覆うことができ、作業者が誤って導電バーに触れる恐れがなくなるとともに、導電バーにごみや埃が付着しにくくなるという効果がある。
【００５４】
請求項２の発明は、請求項１の発明において、前記第１引掛部および前記第２引掛部を各々対向する面側が開放された第１溝および第２溝とし、前記保護カバーは、弾性材料により形成され、第１溝と第２溝との一方に一端部を差し込んだ状態で他端部側を押圧して弾性変形させることにより他端部が第１溝と第２溝との他方に係止されるように幅方向の寸法を設定してあるので、前記保護カバーの一端部を第１溝に差し込んで他端部を前記引掛部材の端面に当接させた状態から他端部側を押圧すれば、前記保護カバーが弾性変形して他端部が第２溝に係止されることとなり、前記保護カバーの取付作業を容易にすることができるという効果がある。
【００５５】
請求項３の発明は、請求項２の発明において、前記分岐開閉器が前記バー支持部材よりも建物の床側になるように前記箱体を建物の壁面に配置したときに、前記第１溝が前記第２溝よりも天井側に位置し且つ前記第２溝の方が前記第１溝よりも壁面から離れた位置に形成されているので、前記保護カバーは建物の壁面に対して前面側を建物の床側となるように傾斜して取着されることになるから、前記箱体内における前記保護カバーよりも天井側の空間を広くすることができ、建物の天井側からの配線の引き回し作業が容易となるという効果がある。
【００５６】
請求項４の発明は、請求項３の発明において、前記第２溝は、前記保護カバーの一端部および他端部がそれぞれ前記第１溝および前記第２溝に係止された状態で前記保護カバーの一面に沿う傾斜面が形成されているので、前記保護カバーにおいて第２溝に引掛けられる他端部が折曲した形で引掛けられる恐れがなく、前記保護カバーが折損しにくくなるという効果がある。
【００５７】
請求項５の発明は、請求項２ないし請求項４の発明において、前記引掛部材は、前記保護カバーの一端部を前記第１溝に差し込んだ状態で他端部側を押圧して弾性変形させたときに他端部を前記第２溝へ案内するように前記第２溝の周縁から前記背壁側へ突出した案内突起が設けられているので、前記保護カバーの他端部側を押圧して弾性変形させたときに他端部が案内突起によってガイドされることとなり、前記保護カバーを前記第２溝に確実に係止させることができるという効果がある。
【００５８】
請求項６の発明は、請求項５の発明において、前記案内突起は、前記引掛部材を第１極の導電バーに取着するための引掛爪からなるので、前記案内突起を前記引掛部材と別に用意する必要がなく、前記引掛部材の材料取りが向上するという効果がある。
【図面の簡単な説明】
【図１】本発明の実施形態における要部断面図である。
【図２】同上の外観斜視図である。
【図３】同上の要部分解斜視図である。
【図４】同上においてカバーなどを取り外した状態の正面図である。
【図５】同上においてカバーを取り外した状態の正面図である。
【図６】同上の断面図である。
【図７】同上の断面図である。
【図８】同上の要部分解斜視図である。
【図９】同上の要部分解斜視図である。
【図１０】同上の要部分解斜視図である。
【図１１】同上におけるバー支持部材の取付前の要部正面図である。
【図１２】同上におけるバー支持部材の取付前の要部背面図である。
【図１３】同上におけるバー支持部材の取付後の要部正面図である。
【図１４】同上におけるバー支持部材の取付後の要部背面図である。
【図１５】同上におけるバー支持部材の取り付け方の説明図である。
【図１６】従来例を示しカバーなどを取り外した状態の正面図である。
【図１７】同上の分解斜視図である。
【図１８】同上においてカバーを取り外した状態の斜視図である。
【符号の説明】
１０  箱体
１１  背壁
３１  主幹回路遮断器
３２  分岐回路遮断器
１００  バー支持部材
１０６ｂ  係止溝
１１０ａ  導電バー
１１０ｂ  導電バー
１１０ｃ  導電バー
１３０  結束部材
１３６  溝
１４０  保護カバー
【図１】
0003714181.tif 000002
【図２】
0003714181.tif 000003
【図３】
0003714181.tif 000004
【図４】
0003714181.tif 000005
【図５】
0003714181.tif 000006
【図６】
0003714181.tif 000007
【図７】
0003714181.tif 000008
【図８】
0003714181.tif 000009
【図９】
0003714181.tif 000010
【図１０】
0003714181.tif 000011
【図１１】
0003714181.tif 000012
【図１２】
0003714181.tif 000013
【図１３】
0003714181.tif 000014
【図１４】
0003714181.tif 000015
【図１５】
0003714181.tif 000016
【図１６】
0003714181.tif 000017
【図１７】
0003714181.tif 000018
【図１８】
0003714181.tif 000019